(57)【要約】【課題】防雪効果を維持しつつ、エネルギーの消費を抑制することができる防雪フードおよびこれを備えた空気調和装置用室外機を提供する。【解決手段】空気調和装置用室外機の室外機本体に設置可能な防雪フード１１である。この防雪フード１１は、開口部１５を有し、室外機本体１７の吸込口１９の一部を覆うフード本体１３と、開口部１５を開口可能にフード本体１３に取り付けられた開口手段４１と、この開口手段４１を開口状態で固定するための固定手段４３とを備えている。【選択図】図１
2009293875.tif 000002
【特許請求の範囲】
【請求項１】
空気調和装置用室外機（２１）の室外機本体（１７）に設置可能な防雪フード（１１，５１，７１）であって、
開口部（１５）を有し、前記室外機本体（１７）の通風口（１９）の少なくとも一部を覆うフード本体（１３）と、
前記開口部（１５）を開口可能に前記フード本体（１３）に取り付けられた開口手段（４１，６１，８１）と、
この開口手段（４１，６１，８１）を開口状態で固定するための固定手段（４３，６３）とを備えていることを特徴とする防雪フード。
【請求項２】
前記開口手段（４１，６１，８１）は、前記フード本体（１３）に対して相対移動可能な開閉部材（２６，６２，８９）を有している、請求項１に記載の防雪フード。
【請求項３】
前記開口手段（４１，６１）は、前記フード本体（１３）に取り付けられ、前記開閉部材（２６，６２）を回動可能に支持する回動軸（２５，５５）を有している、請求項２に記載の防雪フード。
【請求項４】
前記開閉部材（２６）は、前記室外機本体（１７）側に回動して前記開口部（１５）を開口するように前記回動軸（２５）に支持されている、請求項３に記載の防雪フード。
【請求項５】
前記開閉部材（６２）は、前記室外機本体（１７）から離隔する方向に回動して前記開口部（１５）を開口するように前記回動軸（５５）に支持されている、請求項３に記載の防雪フード。
【請求項６】
前記開閉部材（２６，６２）が複数に分割されている、請求項３〜５のいずれかに記載の防雪フード。
【請求項７】
前記開口手段（６１）は、複数に分割された前記開閉部材（６２）を連動させる連動手段（５９）を有している、請求項６に記載の防雪フード。
【請求項８】
前記固定手段（４３，６３）は、前記フード本体（１３）に設けられた第１の連結部（２７）と、前記開口手段（４１，６１）に設けられ、前記第１の連結部（２７）に固定可能な第２の連結部（２９，６７）とを有している、請求項３に記載の防雪フード。
【請求項９】
前記固定手段（４３，６３）は棒状部材（３１）をさらに有し、前記第１の連結部（２７）および第２の連結部（２９，６７）が貫通口を備え、これらの貫通口同士を重ねた状態で前記棒状部材（３１）が前記貫通口に挿通されている、請求項８に記載の防雪フード。
【請求項１０】
前記フード本体（１３）は、前記開閉部材（２６，６２）の回動角度を調節するための複数の前記第１の連結部（２７）を有している、請求項８に記載の防雪フード。
【請求項１１】
前記開口手段（８１）は、前記フード本体（１３）に取り付けられ、前記開閉部材（８９）をスライド移動可能に支持するレール（７７）を有している、請求項２に記載の防雪フード。
【請求項１２】
前記開閉部材（８９）は、スライド方向に配列された複数の板状体（７３）が折りたたみ可能に連結されてなる、請求項１１に記載の防雪フード。
【請求項１３】
前記開口手段（８１）は、前記開閉部材（８９）に接続されたワイヤー（７５）と、このワイヤー（７５）を巻き取る巻き取り手段（７６）とをさらに有している、請求項１１または１２に記載の防雪フード。
【請求項１４】
前記巻き取り手段（７６）はモーターを含む、請求項１３に記載の防雪フード。
【請求項１５】
ケーシング（１０４）の内部に少なくとも熱交換器およびファンが設置された室外機本体（１７）と、この室外機本体（１７）に設置された請求項１に記載の防雪フード（１１，５１，７１）とを備えた空気調和装置用室外機。
【発明の詳細な説明】
【技術分野】
【０００１】
本発明は、防雪フードおよびこれを備えた空気調和装置用室外機に関するものである。
【背景技術】
【０００２】
従来から、降雪地域において使用する空気調和装置の室外機には通風口に防雪フードを設置したものが知られている（例えば、特許文献１参照）。
【０００３】
この特許文献１に開示された室外機の防雪フードには開閉板が取り付けられている。開閉板にはばねが取り付けられており、このばねはフードに吹き付ける風の圧力が所定以上になった場合に開閉板が開くように設定されている。これにより、強風が生じた際には開閉板が開いて防雪フードに加わる風圧を緩和できる、とされている。
【特許文献１】登録実用新案第３０６７３８１号公報
【発明の開示】
【発明が解決しようとする課題】
【０００４】
しかしながら、特許文献１に記載のように室外機の通風口に防雪フードを設けると、防雪効果は得られるものの、防雪フードが通風の障害となるので通風口から空気を吸い込む際や吹き出す際の抵抗が増加することになる。特許文献１における開閉板は強風が生じた際には開いて一時的に風圧を緩和できるが、それ以外の通常運転時には閉じたままである。このように通常運転時における通風の抵抗が増加すると、防雪フードを設けていない場合と比較して室外機の風量が減少する。そのため所望の風量を得るためには出力を上げる必要があるのでエネルギーの消費量が多くなるという問題があった。
【０００５】
そこで、本発明は、かかる点に鑑みてなされたものであり、その目的とするところは、防雪効果を維持しつつ、エネルギーの消費を抑制することができる防雪フードおよびこれを備えた空気調和装置用室外機を提供することにある。
【課題を解決するための手段】
【０００６】
本発明の防雪フード（１１，５１，７１）は、空気調和装置用室外機（２１）の室外機本体（１７）に設置可能なものであって、開口部（１５）を有し、前記室外機本体（１７）の通風口（１９）の少なくとも一部を覆うフード本体（１３）と、前記開口部（１５）を開口可能に前記フード本体（１３）に取り付けられた開口手段（４１，６１，８１）と、この開口手段（４１，６１，８１）を開口状態で固定するための固定手段（４３，６３）とを備えている。
【０００７】
この構成では、降雪が多い時期には開口部（１５）を閉じた状態とし、降雪が少ないか降雪がみられない時期には開口手段（４１，６１，８１）により開口部（１５）を開口し、この開口手段（４１，６１，８１）を固定手段（４３，６３）で固定する。これにより、降雪が多い時期には防雪効果が得られ、それ以外の時期には、防雪フード（１１）の設置に起因する通風時の抵抗が増加するのを抑制できるので、防雪効果を維持しつつ、エネルギーの消費を抑制することができる。
【０００８】
前記開口手段（４１，６１，８１）は、前記フード本体（１３）に対して相対移動可能な開閉部材（２６，６２，８９）を有しているのが好ましい。この構成では、開閉部材（２６，６２，８９）をフード本体（１３）に対して相対移動させることで開口部（１５）を開口することができる。
【０００９】
前記開口手段（４１，６１）は、前記フード本体（１３）に取り付けられ、前記開閉部材（２６，６２）を回動可能に支持する回動軸（２５，５５）を有しているのが好ましい。この構成では、回動軸（２５，５５）を中心に開閉部材（２６，６２）を回動させることで開口部（１５）を容易に安定して開口することができる。
【００１０】
前記開閉部材（２６）は、前記室外機本体（１７）側に回動して前記開口部（１５）を開口するように前記回動軸（２５）に支持されているのが好ましい。この構成では、開口部（１５）を開口する際には開閉部材（２６）が室外機本体（１７）側に回動されるので、開口時に開閉部材（２６）がフード本体（１３）よりも外方に出っ張らない。これにより、室外機の設置場所が制約されるのを防ぐことができる。
【００１１】
前記開閉部材（６２）は、前記室外機本体（１７）から離隔する方向に回動して前記開口部（１５）を開口するように前記回動軸（５５）に支持されていてもよい。この構成では、開口部（１５）を開口する際には開閉部材（６２）が室外機本体（１７）から離隔する方向に回動されるので、防雪フード（５１）自体に開閉部材（６２）の回動に伴う奥行きを設ける必要がない。これにより、防雪フード（５１）の奥行きを必要最小限に抑えることができる。
【００１２】
前記開閉部材（２６，６２）が複数に分割されているのが好ましい。この構成では、開閉部材（２６，６２）を複数に分割することにより個々の部材のサイズを小さくできる。これにより、開閉部材（２６，６２）を室外機本体（１７）側に回動させる場合には開閉部材（２６，６２）と通風口（１９）との距離が小さくなるのを抑制できる。また、開閉部材（２６，６２）を室外機本体（１７）から離隔する方向に回動させる場合には回動させた時の出っ張りを小さくできる。また、開閉部材（２６，６２）が複数に分割されているので、分割された部材ごとに個別に開閉状態を変えて、開口部（１５）の開口面積を段階的に調節することができる。これにより、降雪状況、風速などに応じて、防雪効果と通風時の抵抗とをバランスよく調整できる。
【００１３】
前記開口手段（６１）は、複数に分割された前記開閉部材（６２）を連動させる連動手段（５９）を有しているのが好ましい。この構成では、上記連動手段（５９）を有しているので、複数に分割された個々の部材を１度の操作で同時に回動させることができる。
【００１４】
前記固定手段（４３，６３）は、前記フード本体（１３）に設けられた第１の連結部（２７）と、前記開口手段（４１，６１）に設けられ、前記第１の連結部（２７）に固定可能な第２の連結部（２９，６７）とを有しているのが好ましい。この構成では、第１の連結部（２７）に第２の連結部（２９，６７）を固定することで、開口手段（４１，６１）を開口状態で固定することができる。
【００１５】
前記固定手段（４３，６３）は棒状部材（３１）をさらに有し、前記第１の連結部（２７）および第２の連結部（２９，６７）が貫通口を備え、これらの貫通口同士を重ねた状態で前記棒状部材（３１）が前記貫通口に挿通されているのが好ましい。この構成では、貫通口に棒状部材（３１）を挿通するだけで開口手段（４１，６１）を開口状態で容易に固定することができる。
【００１６】
前記フード本体（１３）は、前記開閉部材（２６，６２）の回動角度を調節するための複数の前記第１の連結部（２７）を有しているのが好ましい。この構成では、フード本体（１３）が上記した複数の第１の連結部（２７）を有しているので、開閉部材（２６，６２）の回動角度を段階的に調節することができる。これにより、降雪状況、風速などに応じて、防雪効果と通風時の抵抗とをバランスよく調整できる。
【００１７】
前記開口手段（８１）は、前記フード本体（１３）に取り付けられ、前記開閉部材（８９）をスライド移動可能に支持するレール（７７）を有しているのが好ましい。この構成では、開閉部材（８９）が上記レール（７７）に支持されているので、このレール（７７）に沿って開閉部材（８９）をスライドさせるだけで開閉部材（８９）を安定して移動させることができる。
【００１８】
前記開閉部材（８９）は、スライド方向に配列された複数の板状体（７３）が折りたたみ可能に連結されてなるのが好ましい。この構成では、スライド方向に配列された複数の板状体（７３）が折りたたみ可能に連結されているので、開口時には開閉部材（８９）を折りたたんでコンパクトにまとめることができる。
【００１９】
前記開口手段（８１）は、前記開閉部材（８９）に接続されたワイヤー（７５）と、このワイヤー（７５）を巻き取る巻き取り手段（７６）とをさらに有しているのが好ましい。この構成では、巻き取り手段（７６）によりワイヤー（７５）を巻き取ることで開閉部材（８９）をスライド移動させることができる。
【００２０】
前記巻き取り手段（７６）はモーターを含むのが好ましい。この構成では、モーターにより開閉部材（８９）を自動でスライド移動させることができる。
【００２１】
本発明の空気調和装置用室外機（２１，９１，１０１）は、ケーシング（１０４）の内部に少なくとも熱交換器およびファンが設置された室外機本体（１７）と、この室外機本体（１７）に設置された請求項１に記載の防雪フード（１１，５１，７１）とを備えたものである。
【発明の効果】
【００２２】
以上説明したように、本発明によれば、降雪が多い時期には開口部を閉じた状態とし、降雪が少ないか降雪がみられない時期には開口手段により開口部を開口し、この開口手段を固定手段で固定することにより、降雪が多い時期には防雪効果が得られ、それ以外の時期には、防雪フードの設置に起因する通風時の抵抗が増加するのを抑制できる。これにより、防雪効果を維持しつつ、エネルギーの消費を抑制することができるという効果がある。
【発明を実施するための最良の形態】
【００２３】
以下、本発明の実施形態について図面を参照し詳細に説明する。
【００２４】
（第１の実施形態）
図１（ａ），（ｂ）は本発明の第１の実施形態にかかる防雪フード１１をそれぞれ示す斜視図である。図１（ａ），（ｂ）に示すように、防雪フード１１は、開口部１５を有するフード本体１３と、開口部１５を開口可能にフード本体１３に取り付けられた開口手段４１と、この開口手段４１を固定するための固定手段４３とを備えている。
【００２５】
フード本体１３は、矩形状の天板１３１と、この天板１３１における対向する２つの端辺から下方に延設された台形状の側板１３２及び側板１３３とを備えている。側板１３２及び側板１３３は互いにほぼ平行に配置されている。
【００２６】
開口部１５は、図１（ｂ）に示すように、天板１３１の端辺１３１ａと、側板１３２の端辺１３２ａと、側板１３３の端辺１３３ａとで囲まれた開口領域のことをいう。
【００２７】
開口手段４１は、フード本体１３に対して相対移動可能な開閉部材２６（第１の開閉部材２３，第２の開閉部材２４）と、フード本体１３に取り付けられ、開閉部材２６を室外機本体１７側に回動可能に支持する回動軸２５とを備えている。
【００２８】
開閉部材２６は、開口部１５の上部側に配置された第１の開閉部材２３と下部側に配置された第２の開閉部材２４の２つに分割されている。第１の開閉部材２３は、開口部１５を塞ぐための平板部２３１と、この平板部２３１の幅方向（長手方向）の一方の端辺から側板１３２の内面に沿って延設された延設部２３２と、平板部２３１の幅方向の他方の端辺から側板１３３の内面に沿って延設された延設部２３３とを備えている。同様に、第２の開閉部材２４は、平板部２４１と、延設部２４２と、延設部２４３とを備えている。
【００２９】
各延設部２３２，２３３，２４２，２４３には、下端側（図１（ａ）の下方側）に図略の延設部貫通口が設けられている。これらの延設部貫通口と連通するように側板１３２，１３３には図略の側板貫通口がそれぞれ設けられている。これらの延設部貫通口と側板貫通口に回動軸２５が挿通されている。これにより、第１の開閉部材２３及び第２の開閉部材２４は回動可能にフード本体１３に支持されている。
【００３０】
回動軸２５は、側板１３２側に配置されるものと側板１３３側に配置されるものが図１（ｂ）に示すようにそれぞれ別体であってもよいが、例えば一方の端部が側板１３２側の延設部貫通口及び側板貫通口に挿通され、他方の端部が側板１３３側の延設部貫通口及び側板貫通口に挿通された一本の棒状部材であってもよい。
【００３１】
側板１３２には、各回動軸２５を中心とする同心円上に円弧状貫通口３３がそれぞれ形成されている。延設部２３２，２４２には、これらの延設部２３２，２４２から略垂直方向に立設された棒状のレバー３５がそれぞれ取り付けられている。これらのレバー３５は各円弧状貫通口３３にそれぞれ挿通されており、フード本体１３の外側から把持できるように円弧状貫通口３３から外方に突出している。
【００３２】
固定手段４３は、側板１３２と側板１３３の両側に、各回動軸２５を中心とする同心円上で、かつ、円弧状貫通口３３よりも回動軸２５側に位置する３つの固定部位４３ａ，４３ｂ，４３ｃにそれぞれ設けられている。
【００３３】
側板１３２の表面には、固定部位４３ａ，４３ｂ，４３ｃと回動軸２５とをそれぞれ結ぶ直線上に、円弧状貫通口３３に沿って略三角形のマークＡ，Ｂ，Ｃが設けられている。これらのマークＡ，Ｂ，Ｃは、レバー３５の固定位置を判別する目印となる。
【００３４】
図２（ａ），（ｂ）は、本実施形態における固定手段４３をそれぞれ示す断面図である。図２（ａ），（ｂ）に示すように、固定手段４３は、側板１３２に設けられた第１の連結部２７と、延設部２３２に設けられた第２の連結部２９と、ボルト（棒状部材）３１とを備えている。
【００３５】
第１の連結部２７は、側板１３２に設けられた貫通口２７１とこの貫通口２７１に中空部分が連通するように側板１３２に接合されたナット２７２とからなる。このナット２７２の中空部分の内面にはボルト３１と螺合するねじ山が形成されている。第２の連結部２９は延設部２３２に形成された貫通口からなる（以下、貫通口２９という）。
【００３６】
ボルト３１は、ナット２７２に螺合されているねじ部３１ａと、このねじ部３１ａの基端側に設けられた頭部３１ｂと、ねじ部３１ａの先端側に設けられた先端部３１ｃとからなる。この先端部３１ｃにはねじ山が形成されていない。
【００３７】
次に、防雪フード１１の動作について説明する。上記のような構成を備えた防雪フード１１は、レバー３５を円弧状貫通口３３に沿って移動させることにより、回動軸２５を中心として開閉部材２６を回動させることができる。本実施形態では、円弧状貫通口３３は、開口部１５が開閉部材２６により塞がれた状態（図１（ａ）に示す状態）から開閉部材２６を約９０°回動させて開口部１５を全開にした状態（図１（ｂ）に示す状態）まで開口状態を調節できるように、円弧の長さが設定されている。
【００３８】
図１（ａ）に示すように開口部１５が閉じた状態のときには、レバー３５はマークＡの位置にある。このマークＡに対応する固定部位４３ａでは、図２（ａ）に示すようにボルト３１の先端部３１ｃが貫通口２９及び貫通口２７１に挿通された状態となるように、ボルト３１が締め込まれている。これにより、開口部１５が閉じた状態で開閉部材２６がフード本体１３に固定されている。
【００３９】
図１（ｂ）に示すように開口部１５が開口した状態のときには、レバー３５はマークＣの位置にある。このマークＣに対応する固定部位４３ｃでは、図２（ａ）に示すようにボルト３１が締め込まれている。
【００４０】
また、回動軸２５を中心にマークＡの位置から開閉部材を約４５°回動させてマークＢの位置にレバー３５を移動させ、このマークＢに対応する固定部位４３ｂにおけるボルト３１を締め込んだ状態とすることもできる。これにより、開閉部材２６を半開きの状態でフード本体１３に固定できる。このように第１の連結部２７が設けられた固定部位を３つ以上設けることによって、開閉部材２６の回動角度を段階的に調節することができる。さらに、第１の開閉部材２３と第２の開閉部材２４の開閉状態を個別に変えて、開口部１５の開口面積を段階的に調節することもできる。これにより、降雪状況、風速などに応じて、防雪効果と通風時の抵抗とをバランスよく調整できる。
【００４１】
図３（ａ）は防雪フード１１とこの防雪フード１１が設置された室外機本体１７とを備える空気調和装置用室外機２１を示す正面図であり、図３（ｂ）はその背面図であり、図４（ａ）はその右側面図であり、図４（ｂ）はその左側面図である。図５は防雪フード１１の開口部１５を開口した室外機２１を示す背面図である。
【００４２】
図３〜５に示すように、室外機２１は、室外機本体１７の背面側の通風口（吸込口）１９に上記した防雪フード１１を備え、室外機本体１７の左側面側の通風口２３に防雪フード１０３を備えている。
【００４３】
室外機本体１７は、ケーシング１０４、このケーシング１０４内に設置された図略の熱交換器、ファンなどで構成されている。ケーシング１０４の正面側には排気口（通風口）が設けられ、この排気口が排気グリル１０５でカバーされている。ケーシング１０４の背面側には吸込口１９が設けられている。
【００４４】
防雪フード１１は、吸込口１９の周縁に天板１３１、側板１３２及び側板１３３が配置されるようにして室外機本体１７に固定されている。
【００４５】
本実施形態にかかる室外機２１では、降雪が多い時期には、図３（ｂ）に示すように開口部１５を閉じた状態とし、降雪が少ないか降雪がみられない時期には、図５に示すように開口部１５を開口した状態とすることができる。これにより、降雪が多い時期には防雪効果が得られ、それ以外の時期には、防雪フード１１の設置に起因する通風時の抵抗が増加するのを抑制できる。その結果、防雪効果を維持しつつ、エネルギーの消費を抑制することができる。
【００４６】
しかも第１の実施形態にかかる防雪フード１１は、開閉部材２６が室外機本体１７側に回動して開口部１５を開口するように回動軸２５に支持されている。これにより、開口部１５を開口する際には開閉部材２６がフード本体１３よりも外方に出っ張らないので、室外機２１の設置場所が制約されるのを防ぐことができる。
【００４７】
（第２の実施形態）
図６（ａ），（ｂ）は第２の実施形態にかかる防雪フード５１を示す斜視図である。なお、以下の説明において、第１の実施形態と同様の部材については同じ符号を付してその説明を省略する。
【００４８】
図６（ａ），（ｂ）に示すように、防雪フード５１は、フード本体１３と、開口部１５を開口可能にフード本体１３に取り付けられた開口手段６１と、この開口手段６１を固定するための固定手段６３とを備えている。
【００４９】
開口手段６１は、フード本体１３に対して相対移動可能な開閉部材６２（第１の開閉部材５３，第２の開閉部材５４）と、開閉部材６２をフード本体１３に支持する支持板５６と、開閉部材６２を回動可能に支持する回動軸５５と、第１の開閉部材５３及び第２の開閉部材５４を連動させるための連動手段５９とを備えている。
【００５０】
開閉部材６２は、開口部１５の上部側に配置された第１の開閉部材５３と下部側に配置された第２の開閉部材５４の２つに分割されている。第１の開閉部材５３の幅方向（長手方向）の両端部には、側板１３２の内面及び側板１３３の内面に沿って配設された支持板５６がそれぞれ接合されている。同様に、第２の開閉部材５４の幅方向の両端部には、側板１３２の内面及び側板１３３の内面に沿って配設された支持板５６がそれぞれ接合されている。
【００５１】
各支持板５６には、側板１３２及び側板１３３に設けられた長穴６０にそれぞれ挿通された回動軸５５が支持板５６の表面にほぼ垂直な方向に立設されている。これにより、各支持板５６は回動軸５５を中心に回動可能となっている。長穴６０は、その長手方向がほぼ水平になるように穿孔されている。
【００５２】
側板１３２側の２つの支持板５６は、先端部（開閉部材６２に接合された端部とは反対側の端部）において連動手段５９により連結されている。この連動手段５９は、側板１３２の内面に沿って鉛直方向に配置された連動板５８と、この連動板５８に２つの支持板５６をそれぞれ連結する連動軸５７とを備えている。
【００５３】
連動板５８は、側板１３２の内面に設けられた図略のガイドによって鉛直方向にスライド可能に支持されている。連動板５８は、鉛直方向の上端部と鉛直方向の中央部付近にそれぞれ図略の連動板貫通口を有している。２つの支持板５６はその先端部に図略の支持板貫通口を有している。連動軸５７は、前記支持板貫通口及び前記連動板貫通口に挿通されている。これにより、２つの支持板５６は、それぞれの連動軸５７を中心にして連動板５８に対して回動可能に連結されている。
【００５４】
連動板５８の下端部には、連動板５８から略垂直方向に立設された棒状のレバー６４が取り付けられている。このレバー６４は、側板１３２に設けられた矩形状の貫通口６５に挿通されており、フード本体１３の外側から把持できるように貫通口６５から外方に突出している。
【００５５】
側板１３３側の２つの支持板５６は、側板１３２側の支持板５６と同様に、先端部において連動手段５９により連結されている。この連動手段５９については、上記と同様の構成であるので、説明を省略する。
【００５６】
固定手段６３は、側板１３２と側板１３３の両側に、連動板５８と対向し鉛直方向に沿った３つの固定部位６３ａ，６３ｂ，６３ｃにそれぞれ設けられている。
【００５７】
側板１３２の表面には、鉛直方向に矩形状貫通口６５に沿って略三角形のマークＡ，Ｂ，Ｃが設けられている。これらのマークＡ，Ｂ，Ｃは、レバー６４の位置を判別する目印となるものであり、後述するように固定部位６３ａ，６３ｂ，６３ｃとそれぞれ対応している。
【００５８】
図７（ａ），（ｂ）は本実施形態における固定手段６３をそれぞれ示す断面図である。図７（ａ），（ｂ）に示すように、固定手段６３は、側板１３２に設けられた第１の連結部２７と、連動板５８に設けられた第２の連結部６７と、ボルト３１とを備えている。
【００５９】
第１の連結部２７及びボルト３１は、図２（ａ），（ｂ）に示すものと同様の構成であるので説明を省略する。第２の連結部６７は連動板５８に形成された貫通口からなる（以下、貫通口６７という）。
【００６０】
次に、防雪フード５１の動作について説明する。上記のような構成を備えた防雪フード５１は、レバー６４を矩形状貫通口６５に沿って移動させることにより、回動軸５５を中心として開閉部材６２を回動させることができる。本実施形態では、矩形状貫通口６５は、開口部１５が開閉部材６２により塞がれた状態（図６（ａ）に示す状態）から開閉部材６２を約９０°回動させて開口部１５を全開にした状態（図６（ｂ）に示す状態）まで開口状態を調節できるように、長手方向の長さが設定されている。
【００６１】
図８（ａ）〜（ｃ）は本実施形態にかかる防雪フード５１をそれぞれ示す右側面図である。図８（ａ）に示すように開口部１５が閉じた状態のときには、レバー６４はマークＡの位置にある。このマークＡに対応する固定部位６３ａでは、図７（ａ）に示すように第１の連結部２７のボルト３１の先端部３１ｃが貫通口６７及び貫通口２７１に挿通された状態となるように、ボルト３１が締め込まれている。これにより、開口部１５が閉じた状態で開閉部材６２がフード本体１３に固定されている。
【００６２】
図８（ｂ）に示すように開口部１５を半開の状態とする場合には、図７（ｂ）に示すように固定部位６３ａのボルト３１を緩めた後、マークＢの位置までレバー６４を下方に移動させる。この移動過程では、連動板５８が図略のガイドに沿って鉛直方向下方にスライドするのに伴って、連動軸５７を中心に各支持板５６が回動しながら支持板５６の先端部が下降する。このとき、各支持板５６は、回動軸５５が長穴６０の中を連動板５８から離隔する方向にスライドしながら、回動軸５５を中心として先端部が下方に基端部（開閉部材に接合された端部）が上方に向かって回動する。
【００６３】
これにより、支持板５６の基端部が接合された第１の開閉部材５３及び第２の開閉部材５４はフード本体１３から離隔する方向に回動する。ついで、このマークＢの位置に対応する固定部位６３ｂにおける第１の連結部２７にボルト３１を締め込むことによって、第１の開閉部材５３及び第２の開閉部材５４を半開きの状態でフード本体１３に固定することができる。
【００６４】
本実施形態では、レバー６４がマークＢの位置まで移動したときには、第１の開閉部材５３及び第２の開閉部材５４は、マークＡの位置から約４５°回動するように設計されている。
【００６５】
図８（ｃ）に示すように開口部１５が開口した状態のときには、レバー６４はマークＣの位置にある。このマークＣに対応する固定部位６３ｃでは、図７（ａ）に示すように第１の連結部２７にボルト３１を締め込んだ状態とする。これにより、開口部１５が全開した状態で開閉部材６２がフード本体１３に固定される。
【００６６】
図９（ａ），（ｂ）は防雪フード５１と室外機本体１７とを備える空気調和装置用室外機９１をそれぞれ示す背面図である。図９（ａ），（ｂ）に示すように、室外機９１は、室外機本体１７の背面側の吸込口１９に上記した防雪フード５１を備え、室外機本体１７の左側面側の通風口２３に防雪フード１０３を備えている。このように本実施形態では、開口部１５を開口する際には開閉部材６２が室外機本体１７から離隔する方向に回動されるので、防雪フード５１自体に開閉部材６２の回動に伴う奥行きを設ける必要がない。これにより、防雪フード５１の奥行きを必要最小限に抑えることができる。
【００６７】
また、開口部１５を開口する際には開閉部材６２が室外機本体１７から離隔する方向に回動されるので、開口時に開閉部材６２が吸込口１９に近接するのを防止できる。これにより、開閉部材６２が吸込口１９近傍で通風の障害となるのを抑制できるので、開口時に開閉部材６２が室外機本体１７側に回動される場合と比較して、通風時の抵抗をさらに低減できる。
【００６８】
また、本実施形態では、開閉部材６２が複数に分割されているので、個々の部材のサイズを小さくできる。これにより、開閉部材６２を室外機本体１７から離隔する方向に回動させる場合に回動させた時の出っ張りを小さくできる。
【００６９】
また、本実施形態では、フード本体１３が複数の第１の連結部２７を有しているので、開閉部材６２の回動角度を段階的に調節することができる。これにより、降雪状況、風速などに応じて、防雪効果と通風時の抵抗とをバランスよく調整できる。
【００７０】
また、開口手段６１が、複数に分割された開閉部材６２を連動させる連動手段５９を有しているので、複数に分割された個々の部材を１度の操作で同時に回動させることができる。
【００７１】
（第３の実施形態）
図１０（ａ），（ｂ）は本発明の第３の実施形態にかかる防雪フード７１をそれぞれ示す斜視図である。図１１（ａ）は第３の実施形態にかかる防雪フード７１を示す左側面図であり、図１１（ｂ）はその右側面図である。なお、以下の説明において、第１の実施形態と同様の部材については同じ符号を付してその説明を省略する。
【００７２】
図１０，１１に示すように、本実施形態にかかる防雪フード７１は、フード本体１３と、開口部１５を開口可能にフード本体１３に取り付けられた開口手段８１とを備えている。
【００７３】
開口手段８１は、フード本体１３に対してスライド移動可能な開閉部材８９と、フード本体１３に取り付けられ、開閉部材８９をスライド移動可能に支持する一対のレール７７と、開閉部材８９に接続されたワイヤー７５と、このワイヤー７５を巻き取るモーター（巻き取り手段）７６とを有している。
【００７４】
開閉部材８９は、スライド方向（図１０における上下方向）に配列された複数の板状体７３が第１の蝶番８５及び第２の蝶番８６により折りたたみ可能に連結されたものである。第１の蝶番８５は、隣り合う板状体７３同士を連結するために、側板１３２側と側板１３３側の２カ所にフード本体１３の外部側から取り付けられている。第２の蝶番８６は、隣り合う板状体７３同士を連結するために、板状体７３の両端部にフード本体１３の内部側から取り付けられている。第１の蝶番８５と第２の蝶番８６はスライド方向に交互に配設されている。
【００７５】
各第２の蝶番８６は、その回動軸（不図示）の一端が開閉部材８９の幅方向の外側に突出した図略の突出部を有している。開閉部材８９は、その上端が第３の蝶番８７によりフード本体１３の天板１３１の端部に取り付けられている。最下部の板状体７３には、その両端部に軸９３が取り付けられている。これらの軸９３は、一端が開閉部材８９の幅方向の外側に突出した図略の突出部を有している。
【００７６】
レール７７は、フード本体１３の側板１３２及び側板１３３の内面における開口部１５側に鉛直方向（スライド方向）に沿ってそれぞれ配設されている。このレール７７は、図１０（ｂ）に示すように前記突出部側に開口する溝部がスライド方向に沿って形成されたものである。この溝部内に各第２の蝶番８６の突出部及び軸９３の突出部が配置されている。これにより、開閉部材８９がスライド方向に移動可能に支持されている。なお、レール７７としては、各突出部を移動可能に支持できるものであればよく、本実施形態に限定されるものではない。
【００７７】
モーター７６は、フード本体１３の内部であって側板１３３の内面の上端付近に配設されている。このモーター７６にはこのモーター７６の駆動力を伝達するためのベルト７８が取り付けられている。
【００７８】
開口部１５の上部には、両端部が側板１３２の内面と側板１３３の内面に回転可能に支持され、開口部１５の幅方向に沿って配置された巻き取りシャフト７９が取り付けられている。このシャフト７９にはベルト７８が取り付けられている。これにより、モーター７６が駆動するとシャフト７９が回転する。
【００７９】
ワイヤー７５は、スライド方向にレール７７に沿って配置され、その一端がシャフト７９に固定されており、他端が開閉部材８９の下端部に固定されている。本実施形態では、ワイヤー７５は側板１３２の近傍と側板１３３の近傍にそれぞれ１本ずつ配置されている。
【００８０】
次に、防雪フード７１の動作について説明する。本実施形態において、開口部１５を開口する際には、図略のスイッチを押してモーター７６を駆動させることにより、ベルト７８が回転する。このベルト７８の回転に伴ってシャフト７９が回転する。シャフト７９が回転すると、このシャフト７９に取り付けられたワイヤー７５がシャフト７９に巻き上げられる。これにより、ワイヤー７５の他端が取り付けられた開閉部材８９の最下部に位置する板状体７３がレール７７に沿って上昇する。
【００８１】
このとき、最下部の板状体７３に取り付けられた軸９３の突出部はレール７７にスライド可能に支持されているので、最下部の板状体７３は軸９３を中心として回動しながら上昇する。したがって、この最下部の板状体７３に取り付けられた第１の蝶番８５及びこの蝶番８５が取り付けられた下から２番目の板状体７３は、蝶番８５の部分がフード本体１３から離隔する方向に移動しながら上昇を始める。すなわち、各突出部はレール７７に沿ってスライド移動し、この突出部を中心として各板状体７３は回動しながら上昇する。下から３番目以降の板状体７３についても同様に、ワイヤー７５の巻き上げ長さに応じて順次上昇する。
【００８２】
図１０（ｂ）は、開口部１５を全開にした状態を示すものであるが、開閉部材８９の上昇中にモーター７６の駆動を停止することによって、開口部１５の開口度合いを適宜調整することができる。このように、本実施形態では、開口手段８１の構成要素であるモーター７６、ワイヤー７５、ベルト７８及びシャフト７９が固定手段の役割も兼ねている。
【００８３】
図１２は、第３の実施形態にかかる防雪フード７１と室外機本体１７とを備える空気調和装置用室外機１０１を示す背面図である。この室外機１０１は、開閉部材８９がレール７７に支持されているので、このレール７７に沿って開閉部材８９をスライドさせるだけで開閉部材８９を安定して移動させることができる。
【００８４】
また、開閉部材８９は、スライド方向に配列された複数の板状体７３が折りたたみ可能に連結されているので、開口時には図１０（ｂ）に示すように開閉部材８９を折りたたんでコンパクトにまとめることができる。また、本実施形態では、モーターにより開閉部材８９を自動でスライド移動させることができる。
【００８５】
以上、本発明の実施形態について説明したが、本発明は、上記各実施形態に限られるものではなく、その趣旨を逸脱しない範囲で種々変更、改良等が可能である。例えば、上記実施形態では、背面用の防雪フードにのみ開口手段を設けた場合を例に挙げて説明したが、背面用のみでなく例えば側面用の防雪フード、正面用の防雪フードなどにも同様の開口手段を設けてもよい。これにより、エネルギー消費抑制効果をさらに高めることができる。
【００８６】
上記第１の実施形態及び第２の実施形態では、固定手段として、ナットにボルトを締め込むことによって第１の連結部に第２の連結部を固定する形態を例に挙げて説明したが、本発明における固定手段としては、例えば第１の連結部に貫通口が形成され、第２の連結部にねじ穴が形成され、前記貫通口に挿通されたねじを第２の連結部のねじ穴に螺合させるような形態であってもよい。また、固定手段としては、例えば第１の連結部および第２の連結部が貫通口からなり、これらの貫通口に棒状部材を挿通する形態であってもよい。
【００８７】
上記第１の実施形態では、室外機本体側に開閉部材を回動して開口部を開口する際に、第１の開閉部材と第２の開閉部材を個別に操作する形態を例に挙げて説明したが、例えば連動手段を用いて第１の開閉部材と第２の開閉部材を連動させる形態であってもよい。
【００８８】
また、上記第２の実施形態では、室外機本体から離隔する方向に開閉部材を回動して開口部を開口する際に、連動手段により第１の開閉部材と第２の開閉部材を連動させる形態を例に挙げて説明したが、連動手段を用いないで第１の開閉部材と第２の開閉部材を個別に操作する形態であってもよい。
【００８９】
上記第３の実施形態では、モーターにより電動（自動）で開閉部材をスライド移動させる形態を例に挙げて説明したが、例えば手動で巻き取りシャフトを回転させて開閉部材をスライド移動させる形態であってもよい。
【００９０】
また、上記第１の実施形態及び第２の実施形態では、手動で開閉部材を回動させる形態を例に挙げて説明したが、例えばモーターを用いて電動で開閉部材を回動させる形態であってもよい。
【００９１】
さらに、本発明においては、開口部を閉じた状態のときに所定以上の風圧が開閉部材にかかると、開閉部材がフード本体に対して相対移動できるようにしてもよい。具体的には、例えば開口部を閉じた状態のときに開閉部材を固定せず、開閉部材をばねなどによって付勢することで風圧により回動可能に回動軸に支持された構造とすればよい。これにより、降雪が多い時期でも強風による風圧を緩和することができる。
【００９２】
また、本発明においては、１年の周期において、最初の冷房運転時に開口部を開いた状態で固定し、最初の暖房運転時に開口部を閉じた状態とするなどの使い方ができる。また、これを自動制御で行うこともできる。
【図面の簡単な説明】
【００９３】
【図１】（ａ），（ｂ）は本発明の第１の実施形態にかかる防雪フードをそれぞれ示す斜視図である。（ａ）はフード本体の開口部を閉じた状態を示し、（ｂ）はフード本体の開口部を開口した状態を示している。
【図２】（ａ），（ｂ）は第１の実施形態における固定手段をそれぞれ示す断面図である。（ａ）は第１の連結部が第２の連結部に固定された状態を示し、（ｂ）は第１の連結部が第２の連結部に固定されていない状態を示している。
【図３】（ａ）は第１の実施形態にかかる防雪フードと室外機本体とを備える空気調和装置用室外機を示す正面図であり、（ｂ）はその背面図である。
【図４】（ａ）は第１の実施形態にかかる防雪フードと室外機本体とを備える空気調和装置用室外機を示す右側面図であり、（ｂ）はその左側面図である。
【図５】第１の実施形態にかかる防雪フードの開口部を開口した室外機を示す背面図である。
【図６】（ａ），（ｂ）は本発明の第２の実施形態にかかる防雪フードをそれぞれ示す斜視図である。（ａ）はフード本体の開口部を閉じた状態を示し、（ｂ）はフード本体の開口部を開口した状態を示している。
【図７】（ａ），（ｂ）は第２の実施形態における固定手段をそれぞれ示す断面図である。（ａ）は第１の連結部が第２の連結部に固定された状態を示し、（ｂ）は第１の連結部が第２の連結部に固定されていない状態を示している。
【図８】（ａ）〜（ｃ）は第２の実施形態にかかる防雪フードをそれぞれ示す右側面図である。（ａ）はフード本体の開口部を閉じた状態を示し、（ｂ）はフード本体の開口部を半開にした状態を示し、（ｃ）はフード本体の開口部を全開にした状態を示している。
【図９】（ａ），（ｂ）は第２の実施形態にかかる防雪フードと室外機本体とを備える空気調和装置用室外機をそれぞれ示す背面図であり、（ａ）はフード本体の開口部を閉じた状態を示し、（ｂ）はフード本体の開口部を開口した状態を示している。
【図１０】（ａ），（ｂ）は本発明の第３の実施形態にかかる防雪フードをそれぞれ示す斜視図である。（ａ）はフード本体の開口部を閉じた状態を示し、（ｂ）はフード本体の開口部を開口した状態を示している。
【図１１】（ａ）は第３の実施形態にかかる防雪フードを示す左側面図であり、（ｂ）はその右側面図である。
【図１２】第３の実施形態にかかる防雪フードと室外機本体とを備える空気調和装置用室外機を示す背面図である。
【符号の説明】
【００９４】
１１，５１，７１  防雪フード
１３  フード本体
１３１  天板
１３２，１３３  側板
１５  開口部
１７  室外機本体
１９  吸込口（通風口）
２１，９１，１０１  室外機
２３  第１の開閉部材
２３１  平板部
２３２，２３３  延設部
２４  第２の開閉部材
２４１  平板部
２４２，２４３  延設部
２５，５５  回動軸
２６，６２  開閉部材
２７  第１の連結部
２７１  貫通口
２７２  ナット
２９，６７  第２の連結部（貫通口）
３１  ボルト
３３  円弧状貫通口
３５，６４  レバー
４１，６１，８１  開口手段
４３，６３  固定手段
５３  第１の開閉部材
５４  第２の開閉部材
５６  支持板
５７  連動軸
５８  連動板
５９  連動手段
６０  長穴
６５  貫通口
７３  開閉部材
７５  ワイヤー
７６  モータ
７７  レール
７８  ベルト
７９  巻き取りシャフト
【図１】
2009293875.tif 000003
【図２】
2009293875.tif 000004
【図３】
2009293875.tif 000005
【図４】
2009293875.tif 000006
【図５】
2009293875.tif 000007
【図６】
2009293875.tif 000008
【図７】
2009293875.tif 000009
【図８】
2009293875.tif 000010
【図９】
2009293875.tif 000011
【図１０】
2009293875.tif 000012
【図１１】
2009293875.tif 000013
【図１２】
2009293875.tif 000014